(57)【特許請求の範囲】
【請求項１】
ＩＳＤＢ−Ｔ（Integrated  Service  Digital  Broadcasting-Terrestrial  Television  Broadcasting）伝送方式の放送ＴＳ信号を出力する複数のＩＳＤＢ−Ｔ多重化装置を備え、複数の該ＩＳＤＢ−Ｔ多重化装置のうちいずれかを現用として切り替えて使用するＩＳＤＢ−Ｔ放送局システムにおいて前記放送ＴＳ信号に含まれるＳＴＳ（Synchronization  Time  Stamp）値を同期化させるＳＴＳ値同期化方法であって、前記ＳＴＳ値を生成する生成部を、複数の前記ＩＳＤＢ−Ｔ多重化装置に対して共通に備え、該生成部が生成した該ＳＴＳ値を複数の前記ＩＳＤＢ−Ｔ多重化装置それぞれに対して供給し、複数の前記ＩＳＤＢ−Ｔ多重化装置それぞれは、前記生成部から供給された前記ＳＴＳ値そのまま、または前記生成部から供給された前記ＳＴＳ値をあらかじめ定めた演算式により演算して得た値の何れかを、自装置用のＳＴＳ値として前記放送ＴＳ信号に設定して出力することを特徴とするＳＴＳ値同期化方法。
【請求項２】
前記生成部を、ＩＳＤＢ−Ｔフレーム同期信号を生成するＩＳＤＢ−Ｔフレーム同期信号発生装置内に内蔵させることを特徴とする請求項１に記載のＳＴＳ値同期化方法。
【請求項３】
前記ＩＳＤＢ−Ｔフレーム同期信号発生装置内の前記生成部において生成した前記ＳＴＳ値を、前記ＩＳＤＢ−Ｔフレーム同期信号発生装置が生成した前記ＩＳＤＢ−Ｔフレーム同期信号に重畳させて、ＳＴＳ値重畳ＩＳＤＢ−Ｔフレーム同期信号として、複数の前記ＩＳＤＢ−Ｔ多重化装置それぞれに対して供給することを特徴とする請求項２に記載のＳＴＳ値同期化方法。
【請求項４】
ＩＳＤＢ−Ｔ（Integrated  Service  Digital  Broadcasting-Terrestrial  Television  Broadcasting）伝送方式の放送ＴＳ信号を出力する複数のＩＳＤＢ−Ｔ多重化装置を備え、複数の該ＩＳＤＢ−Ｔ多重化装置のうちいずれかを現用として切り替えて使用するＩＳＤＢ−Ｔ放送局システムであって、前記放送ＴＳ信号に含まれるＳＴＳ（Synchronization  Time  Stamp）値を生成する生成部を、複数の前記ＩＳＤＢ−Ｔ多重化装置に対して共通に備え、該生成部が生成した該ＳＴＳ値を複数の前記ＩＳＤＢ−Ｔ多重化装置それぞれに対して供給し、複数の前記ＩＳＤＢ−Ｔ多重化装置それぞれは、前記生成部から供給された前記ＳＴＳ値そのまま、または前記生成部から供給された前記ＳＴＳ値をあらかじめ定めた演算式により演算して得た値の何れかを、自装置用のＳＴＳ値として前記放送ＴＳ信号に設定して出力することを特徴とするＩＳＤＢ−Ｔ放送局システム。
【請求項５】
前記生成部を、ＩＳＤＢ−Ｔフレーム同期信号を生成するＩＳＤＢ−Ｔフレーム同期信号発生装置内に内蔵させることを特徴とする請求項４に記載のＩＳＤＢ−Ｔ放送局システム。
【請求項６】
前記ＩＳＤＢ−Ｔフレーム同期信号発生装置内の前記生成部において生成した前記ＳＴＳ値を、前記ＩＳＤＢ−Ｔフレーム同期信号発生装置が生成した前記ＩＳＤＢ−Ｔフレーム同期信号に重畳させて、ＳＴＳ値重畳ＩＳＤＢ−Ｔフレーム同期信号として、複数の前記ＩＳＤＢ−Ｔ多重化装置それぞれに対して供給することを特徴とする請求項５に記載のＩＳＤＢ−Ｔ放送局システム。
【発明の詳細な説明】
【技術分野】
【０００１】
本発明は、ＳＴＳ（Synchronization  Time  Stamp）値同期化方法およびＩＳＤＢ−Ｔ放送局システムに関し、特に、複数の多重化装置を備え、いずれかの多重化装置を現用として切り替えて使用するＩＳＤＢ−Ｔ放送局システムにおいて好適に適用することができる。
【背景技術】
【０００２】
地上デジタルテレビジョン放送の伝送方式については、現在、非特許文献１の社団法人電波産業会による「地上デジタルテレビジョン放送の伝送方式  標準規格（ＡＲＩＢ  ＳＴＤ−Ｂ３１）」に示すように、ＩＳＤＢ−Ｔ（Integrated  Service  Digital  Broadcasting-Terrestrial  Television  Broadcasting）と称するＯＦＤＭ（Orthogonal  Frequency  Division  Multiplexing：直交周波数分割多重）方式が、規格化されて、運用に供されている。
【０００３】
非特許文献１の標準規格においては、ＩＳＤＢ−Ｔの伝送方式においてＳＦＮ（Single  Frequency  Network）に対応するために、放送ＴＳ（Transport  Stream）信号に多重されるＩＩＰ（ＩＳＤＢ−Ｔ  Information  Packet）の１フィールドとして、ＳＴＳ（Synchronization  Time  Stamp：基準時刻との差分を示すタイムスタンプ）値を重畳することを規定している。
【０００４】
ＳＴＳ値は、ＧＰＳ（Global  Positioning  System）衛星より配信される１ＰＰＳ（１  Pulse  Per  Second）信号の時刻を基準としたタイムスタンプ情報であり、放送ＴＳ信号の偶数番目のＩＳＤＢ−Ｔフレーム先頭位置が直近の１ＰＰＳ信号に対して１０ＭＨｚクロック換算で何クロック分遅延しているかという値を表している。
【０００５】
また、ＩＳＤＢ−Ｔの伝送方式において、放送ＴＳ信号のＩＳＤＢ−Ｔフレーム先頭位置は、放送ＴＳ信号を生成する多重化装置の内部ＩＳＤＢ−Ｔフレーム位相によって決定されることから、複数の多重化装置がある場合、それらの多重化装置間のＩＳＤＢ−Ｔフレーム位相差がＳＴＳ値の差として現れることとなる。
【０００６】
放送局設備としては、複数の多重化装置とＴＳ切替器とを用いて、冗長システムを構築するのが一般的であるため、各多重化装置間にＩＳＤＢ−Ｔフレーム位相差が存在する場合、ＴＳ切替器にて系統切替を行った際に、ＴＳ切替器からの出力ＴＳ信号においてＩＳＤＢ−ＴフレームのＳＴＳ値の不連続性が生じることになり、ＳＦＮ（Single  Frequency  Network）運用に重大な影響を及ぼすこととなる。
【０００７】
図５は、従来のＩＳＤＢ−Ｔ放送局システムのシステム構成を示す構成図である。図５に示すＩＳＤＢ−Ｔ放送局システムは、ＩＳＤＢ−Ｔ多重化装置１系１Ａ、ＩＳＤＢ−Ｔ多重化装置２系２Ａ、ＩＳＤＢ−Ｔフレーム同期ＴＳ切替装置３、ＩＳＤＢ−Ｔフレーム同期信号発生装置４Ａ、および、ＧＰＳレシーバ装置５、を少なくとも含んで構成され、多重化装置として１系と２系とからなる冗長構成とされている。
【０００８】
つまり、ＩＳＤＢ−Ｔ多重化装置１系１Ａ、ＩＳＤＢ−Ｔ多重化装置２系２Ａは、それぞれ、放送用の入力信号として入力されてくる１系入力ＴＳ信号ＴＳ１、２系入力ＴＳ信号ＴＳ２を、ＧＰＳレシーバ装置５から基準タイミング信号として出力されてくる１０ＭＨｚクロック信号Ｓ１と１ＰＰＳ（１  Pulse  Per  Second）信号Ｓ２、および、ＩＳＤＢ−Ｔフレーム同期信号発生装置４Ａからフレーム同期用の信号として出力されてくるＩＳＤＢ−Ｔフレーム同期信号Ｓ３Ａに基づいて、それぞれ、１系放送ＴＳ信号ＴＳ３、２系放送ＴＳ信号ＴＳ４として生成して出力する。そして、ＩＳＤＢ−Ｔフレーム同期ＴＳ切替装置３は、ＩＳＤＢ−Ｔ多重化装置１系１Ａ、ＩＳＤＢ−Ｔ多重化装置２系２Ａそれぞれから出力されてくる１系放送ＴＳ信号ＴＳ３、２系放送ＴＳ信号ＴＳ４のＩＳＤＢ−Ｔフレーム位相差を調整した上で、いずれか一方を選択して、放送ＴＳ信号ＴＳ５として出力する。
【０００９】
図６は、図５に示すＩＳＤＢ−Ｔフレーム同期信号発生装置４Ａの詳細な内部構成を示すブロック構成図であり、伝送クロック生成部４１、ＩＳＤＢ−Ｔフレームカウンタ４２、ＴＳパケット化部４４Ａからなっている。図６に示すように、ＧＰＳレシーバ装置５からの１０ＭＨｚクロック信号Ｓ１を入力として、伝送クロック生成部４１により、伝送用の伝送クロック信号Ｓ４１を生成して、ＩＳＤＢ−Ｔフレームカウンタ４２に対して出力する。ＩＳＤＢ−Ｔフレームカウンタ４２においては、ＩＳＤＢ−Ｔフレームに該当するクロック数をカウントするカウンタ値をＩＳＤＢ−Ｔフレームカウンタ値Ｓ４３としてＴＳパケット化部４４Ａに対して出力する。その結果、ＴＳパケット化部４４Ａにおいて、フレーム同期用の信号をＩＳＤＢ−Ｔフレーム同期信号Ｓ３Ａとして生成して、ＩＳＤＢ−Ｔ多重化装置１系１Ａ、ＩＳＤＢ−Ｔ多重化装置２系２Ａそれぞれに対して出力する。
【００１０】
また、図７は、図５に二重化冗長構成として備えた多重化装置のうち１系側の多重化装置すなわちＩＳＤＢ−Ｔ多重化装置１系１Ａの詳細な内部構成を示すブロック構成図であるが、２系側の多重化装置すなわちＩＳＤＢ−Ｔ多重化装置２系２Ａの内部構成についても全く同様の構成からなっていることは言うまでもない。
【００１１】
図７に示すＩＳＤＢ−Ｔ多重化装置１系１Ａは、ＩＳＤＢ−Ｔフレーム同期情報抽出部１１、伝送クロック生成部１２、ＩＳＤＢ−Ｔフレームカウンタ１３Ａ、ＩＳＤＢ−Ｔフレーム構造生成部１４、ＳＴＳカウンタ１８、ＩＩＰパケット生成部１６、ＴＳ多重化部１７を含んで構成されている。
【００１２】
図７のＩＳＤＢ−Ｔ多重化装置１系１Ａにおいて、ＩＳＤＢ−Ｔフレーム同期情報抽出部１１により、ＩＳＤＢ−Ｔフレーム同期信号発生装置４Ａから入力されてくるＩＳＤＢ−Ｔ同期信号Ｓ３ＡからＩＳＤＢ−Ｔフレーム同期情報Ｓ１１を抽出して、ＩＳＤＢ−Ｔフレームカウンタ１３Ａに対して出力する。また、伝送クロック生成部１２により、ＧＰＳレシーバ装置５からの１０ＭＨｚクロック信号Ｓ１を入力として伝送クロック信号Ｓ１２を生成して、ＩＳＤＢ−Ｔフレームカウンタ１３Ａに対して出力する。
【００１３】
ＩＳＤＢ−Ｔフレームカウンタ１３Ａにおいては、ＩＳＤＢ−Ｔフレーム同期情報抽出部１１からのＩＳＤＢ−Ｔフレーム同期情報Ｓ１１を基にして、伝送クロック生成部１２からの伝送クロック信号Ｓ１２によりＩＳＤＢ−Ｔフレームにおけるクロック数をカウントした結果をＩＳＤＢ−Ｔフレームカウンタ値Ｓ１３としてＩＳＤＢ−Ｔフレーム構造生成部１４に対して出力するとともに、ＩＳＤＢ−Ｔフレームの先頭を示すＩＳＤＢ−Ｔフレーム先頭信号Ｓ１５を、ＳＴＳカウンタ１８に対して出力する。
【００１４】
ＩＳＤＢ−Ｔフレーム構造生成部１４においては、ＩＳＤＢ−Ｔフレームカウンタ１３ＡからのＩＳＤＢ−Ｔフレームカウンタ値Ｓ１３に基づいて、フレーム構成に関する情報を生成して、ＩＳＤＢ−Ｔフレーム構成情報Ｓ１４として、ＴＳ多重化部１７に対して出力する。
【００１５】
また、ＩＳＤＢ−Ｔフレームカウンタ１３ＡからのＩＳＤＢ−Ｔフレーム先頭信号Ｓ１５を受け取ったＳＴＳカウンタ１８においては、ＧＰＳレシーバ装置５から基準タイミング信号として出力されてくる１０ＭＨｚクロック信号Ｓ１と１ＰＰＳ（１  Pulse  Per  Second）信号Ｓ２に基づいて、基準時刻（１ＰＰＳ信号Ｓ２の立ち上がりエッジ）からのＩＳＤＢ−Ｔフレーム先頭信号Ｓ１５のずれを１０ＭＨｚクロック信号Ｓ１によりカウントして、ＳＴＳ（Synchronization  Time  Stamp）値Ｓ１６としてＩＩＰパケット生成部１６に対して出力し、ＩＩＰパケット生成部１６においてパケット化して、ＩＩＰ（ＩＳＤＢ−Ｔ  Information  Packet）パケットＳ１７として、ＴＳ多重化部１７に対して出力する。
【００１６】
ＴＳ多重化部１７においては、ＩＳＤＢ−Ｔフレーム構造生成部１４から出力されてくるＩＳＤＢ−Ｔフレーム構成情報Ｓ１４に基づいて、放送用の入力信号として入力されてくる１系入力ＴＳ信号ＴＳ１およびＩＩＰパケット生成部１６からのＩＩＰパケットＳ１７を再多重化して１系放送ＴＳ信号ＴＳ３として出力する。
【００１７】
以上の図５、図６、図７に示したように、従来のＩＳＤＢ−Ｔ放送局システムは、ＩＳＤＢ−Ｔフレーム同期信号発生装置４Ａが出力したＩＳＤＢ−Ｔフレーム同期信号Ｓ３Ａを、ＩＳＤＢ−Ｔ多重化装置１系１Ａ、ＩＳＤＢ−Ｔ多重化装置２系２Ａの各多重化装置に入力することにより、ＩＳＤＢ−Ｔ多重化装置１系１Ａ、ＩＳＤＢ−Ｔ多重化装置２系２Ａの各多重化装置のＩＳＤＢ−Ｔフレーム位相差を低減するようにしていた。
【００１８】
しかしながら、ＩＳＤＢ−Ｔ多重化装置１系１Ａ、ＩＳＤＢ−Ｔ多重化装置２系２Ａそれぞれにおけるクロック速度変換処理などの影響から、完全には、両者のＩＳＤＢ−Ｔフレーム位相差を無くすことができず、図８のタイムチャートに示すように、ＴＳ切替器すなわちＩＳＤＢ−Ｔフレーム同期ＴＳ切替装置３においてＩＳＤＢ−Ｔ多重化装置１系１Ａ、ＩＳＤＢ−Ｔ多重化装置２系２Ａの系統切替を行った際のＳＴＳ値の不連続性の発生を完全には回避することができないという問題が発生してしまう。
【００１９】
図８は、図５に示した従来のＩＳＤＢ−Ｔ放送局システムにおいて系統切替が発生した際のＳＴＳ値の設定内容を説明するためのタイムチャートである。図８のタイムチャートは、放送ＴＳ信号ＴＳ５として出力されるＴＳ信号が第０フレームから第１フレームへの出力へと切り替わる時刻ｔｃにおいてＩＳＤＢ−Ｔ多重化装置１系１ＡからＩＳＤＢ−Ｔ多重化装置２系２Ａに切り替わった際に、第１フレームのＩＩＰパケットに含まれる２系のＳＴＳ値を示すＳＴＳ２−１の設定内容が、第０フレームのＩＩＰパケットに含まれている１系のＳＴＳ値を示すＳＴＳ１−０の設定内容と不連続になってしまう状況を説明している。
【００２０】
つまり、図８に示すタイムチャートに示すように、ＩＳＤＢ−Ｔフレーム同期信号発生装置４Ａが出力したＩＳＤＢ−Ｔフレーム同期信号Ｓ３Ａは、フレームの先頭位置となるフレーム位相基準を示すものであり、時刻ｔｓにおいて出力している。これに対して、ＩＳＤＢ−Ｔフレーム同期信号Ｓ３Ａを受け取った１系のＩＳＤＢ−Ｔ多重化装置１系１Ａから出力される１系放送ＴＳ信号ＴＳ３は、フレーム先頭位置が、クロック速度変換処理や素子のばらつきから時刻ｔｓよりも遅れた例えば時刻ｔｓ１になり、２系のＩＳＤＢ−Ｔ多重化装置１系２から出力される１系放送ＴＳ信号ＴＳ４は、フレーム先頭位置が、クロック速度変換処理や素子のばらつきから時刻ｔｓや時刻ｔｓ１よりもさらに遅れた例えば時刻ｔｓ２になっている。
【００２１】
したがって、１系のＩＳＤＢ−Ｔ多重化装置１系１ＡのＳＴＳ値は、ＧＰＳレシーバ装置５から出力される１ＰＰＳ信号Ｓ２の立ち上がり時刻ｔ０から１系放送ＴＳ信号ＴＳ３の先頭の時刻ｔｓ１までの時間となり、第１フレームのＩＩＰパケットには、ＳＴＳ値ＳＴＳ１−１として、時間（ｔｓ１−ｔ０）を設定する。一方、２系のＩＳＤＢ−Ｔ多重化装置２系２ＡのＳＴＳ値は、ＧＰＳレシーバ装置５から出力される１ＰＰＳ信号Ｓ２の立ち上がり時刻ｔ０から２系放送ＴＳ信号ＴＳ４の先頭の時刻ｔｓ２までの時間となり、第１フレームのＩＩＰパケットには、ＳＴＳ値ＳＴＳ２−１として、時間（ｔｓ２−ｔ０）を設定する。
【００２２】
その結果、時刻ｔｃにおいて１系のＩＳＤＢ−Ｔ多重化装置１系１Ａから２系のＩＳＤＢ−Ｔ多重化装置２系２Ａに切り替わった場合には、次のように、ＳＴＳ値が不連続になってしまう。直前の第０フレームの放送ＴＳ信号ＴＳ５としては１系のＩＳＤＢ−Ｔ多重化装置１系１Ａからの１系放送ＴＳ信号ＴＳ３が用いられているので、直前の第０フレームの放送ＴＳ信号ＴＳ５のＩＩＰパケットには、１系のＳＴＳ値ＳＴＳ１−０（＝ｔｓ１−ｔ０）が設定されているが、切り替えが発生すると、切替直後の第１フレームの放送ＴＳ信号ＴＳ５として２系のＩＳＤＢ−Ｔ多重化装置２系２Ａからの２系放送ＴＳ信号ＴＳ４が用いられることになるので、直後の第１フレームの放送ＴＳ信号ＴＳ５のＩＩＰパケットには、１系のＳＴＳ値ＳＴＳ１−１（＝ｔｓ１−ｔ０）の値とは異なる２系のＳＴＳ値ＳＴＳ２−１（＝ｔｓ２−ｔ０）が設定されてしまうことになる。
【先行技術文献】
【非特許文献】
【００２３】
【非特許文献１】社団法人電波産業会：「地上デジタルテレビジョン放送の伝送方式  標準規格（ＡＲＩＢ  ＳＴＤ−Ｂ３１）」、２．０版、平成２３年３月２８日（第８−７６頁）
【発明の開示】
【発明が解決しようとする課題】
【００２４】
前述したように、従来のＩＳＤＢ−Ｔ放送局システムにおいては、複数のＩＳＤＢ−Ｔ多重化装置を含んで構成している場合、複数のＩＳＤＢ−Ｔ多重化装置間のＩＳＤＢ−Ｔフレーム位相差がＳＴＳ値の差として現れ、放送ＴＳ信号を出力するＩＳＤＢ−Ｔ多重化装置を切り替えた場合、ＳＴＳ値の不連続が発生し、ＩＳＤＢ−Ｔ伝送におけるＳＦＮ運用に重大な影響を及ぼすという問題を回避することができない。
【００２５】
（本発明の目的）
本発明は、かかる事情に鑑みてなされたものであり、複数のＩＳＤＢ−Ｔ多重化装置を含んで構成している場合において、各ＩＳＤＢ−Ｔ多重化装置から出力される放送ＴＳ信号に含まれるＳＴＳ（Synchronization  Time  Stamp）値を同一の値として、ＩＳＤＢ−Ｔ多重化装置の切り替えが発生する場合があっても、ＳＴＳ値の連続性を確実に維持することが可能なＳＴＳ値同期化方法およびＩＳＤＢ−Ｔ放送局システムを提供することを、その目的としている。
【課題を解決するための手段】
【００２６】
前述の課題を解決するため、本発明によるＳＴＳ値同期化方法およびＩＳＤＢ−Ｔ放送局システムは、主に、次のような特徴的な構成を採用している。
【００２７】
（１）本発明によるＳＴＳ値同期化方法は、ＩＳＤＢ−Ｔ（Integrated  Service  Digital  Broadcasting-Terrestrial  Television  Broadcasting）伝送方式の放送ＴＳ信号を出力する複数のＩＳＤＢ−Ｔ多重化装置を備え、複数の該ＩＳＤＢ−Ｔ多重化装置のうちいずれかを現用として切り替えて使用するＩＳＤＢ−Ｔ放送局システムにおいて前記放送ＴＳ信号に含まれるＳＴＳ（Synchronization  Time  Stamp）値を同期化させるＳＴＳ値同期化方法であって、前記ＳＴＳ値を生成する生成部を、複数の前記ＩＳＤＢ−Ｔ多重化装置に対して共通に備え、該生成部が生成した該ＳＴＳ値を複数の前記ＩＳＤＢ−Ｔ多重化装置それぞれに対して供給し、複数の前記ＩＳＤＢ−Ｔ多重化装置それぞれは、前記生成部から供給された前記ＳＴＳ値そのまま、または前記生成部から供給された前記ＳＴＳ値をあらかじめ定めた演算式により演算して得た値の何れかを、自装置用のＳＴＳ値として前記放送ＴＳ信号に設定して出力することを特徴とする。
【００２８】
（２）本発明によるＩＳＤＢ−Ｔ放送局システムは、ＩＳＤＢ−Ｔ（Integrated  Service  Digital  Broadcasting-Terrestrial  Television  Broadcasting）伝送方式の放送ＴＳ信号を出力する複数のＩＳＤＢ−Ｔ多重化装置を備え、複数の該ＩＳＤＢ−Ｔ多重化装置のうちいずれかを現用として切り替えて使用するＩＳＤＢ−Ｔ放送局システムであって、前記放送ＴＳ信号に含まれるＳＴＳ（Synchronization  Time  Stamp）値を生成する生成部を、複数の前記ＩＳＤＢ−Ｔ多重化装置に対して共通に備え、該生成部が生成した該ＳＴＳ値を複数の前記ＩＳＤＢ−Ｔ多重化装置それぞれに対して供給し、複数の前記ＩＳＤＢ−Ｔ多重化装置それぞれは、前記生成部から供給された前記ＳＴＳ値そのまま、または前記生成部から供給された前記ＳＴＳ値をあらかじめ定めた演算式により演算して得た値の何れかを、自装置用のＳＴＳ値として前記放送ＴＳ信号に設定して出力することを特徴とする。
【発明の効果】
【００２９】
本発明のＳＴＳ値同期化方法およびＩＳＤＢ−Ｔ放送局システムによれば、以下のような効果を奏することができる。
【００３０】
複数のＩＳＤＢ−Ｔ多重化装置それぞれから出力する放送ＴＳ信号に含まれるＳＴＳ（Synchronization  Time  Stamp）値を生成するための生成部を複数のＩＳＤＢ−Ｔ多重化装置に対して共通に唯一つだけ設置して、生成したＳＴＳ値をすべてのＩＳＤＢ−Ｔ多重化装置に対して供給するように構成しているので、すべてのＩＳＤＢ−Ｔ多重化装置それぞれが出力する放送ＴＳ信号中のＳＴＳ値を完全に一致させることが可能である。而して、複数のＩＳＤＢ−Ｔ多重化装置のいずれを現用の装置として用いるような系統切り替えを行った場合であっても、系統切り替えを行った前後において、放送ＴＳ信号として出力されるＳＴＳ値の連続性が乱れることがなく、ＩＳＤＢ−Ｔ伝送におけるＳＦＮ（Single  Frequency  Network）の円滑な運用を行うことができる。
【図面の簡単な説明】
【００３１】
【図１】本発明によるＩＳＤＢ−Ｔ放送局システムの実施形態のシステム構成例を示す構成図である。
【図２】図１に示すＩＳＤＢ−Ｔフレーム同期信号発生装置の詳細な内部構成の一例を示すブロック構成図である。
【図３】図１に二重化冗長構成として備えた多重化装置のうち１系側の多重化装置すなわちＩＳＤＢ−Ｔ多重化装置１系の詳細な内部構成の一例を示すブロック構成図である。
【図４】図１に例示したＩＳＤＢ−Ｔ放送局システムにおいて系統切替が発生した際のＳＴＳ値の設定内容を説明するためのタイムチャートである。
【図５】従来のＩＳＤＢ−Ｔ放送局システムのシステム構成を示す構成図である。
【図６】図５に示すＩＳＤＢ−Ｔフレーム同期信号発生装置の詳細な内部構成を示すブロック構成図である。
【図７】図５に二重化冗長構成として備えた多重化装置のうち１系側の多重化装置すなわちＩＳＤＢ−Ｔ多重化装置１系の詳細な内部構成を示すブロック構成図である。
【図８】図５に示した従来のＩＳＤＢ−Ｔ放送局システムにおいて系統切替が発生した際のＳＴＳ値の設定内容を説明するためのタイムチャートである。
【発明を実施するための形態】
【００３２】
以下、本発明によるＳＴＳ値同期化方法およびＩＳＤＢ−Ｔ放送局システムの好適な実施形態について添付図を参照して説明する。
【００３３】
（本発明の特徴）
本発明の実施形態の説明に先立って、本発明の特徴についてその概要をまず説明する。本発明は、ＳＴＳ（Synchronization  Time  Stamp）値同期化方法およびＩＳＤＢ−Ｔ（Integrated  Service  Digital  Broadcasting-Terrestrial  Television  Broadcasting）放送局システムに関するものであり、複数のＩＳＤＢ−Ｔ多重化装置といずれかのＩＳＤＢ−Ｔ多重化装置からの出力を現用として選択して出力するＩＳＤＢ−Ｔフレーム同期ＴＳ切替装置とを備えた場合に、各ＩＳＤＢ−Ｔ多重化装置に対して共通に設置されている、ＩＳＤＢ−Ｔ放送用のフレーム同期信号を生成するＩＳＤＢ−Ｔフレーム同期信号発生装置において、ＳＴＳ値を生成し、生成したＳＴＳ値をＩＳＤＢ−Ｔフレーム同期信号に重畳させて、ＳＴＳ値重畳ＩＳＤＢ−Ｔフレーム同期信号として複数のＩＳＤＢ−Ｔ多重化装置それぞれに対して出力し、ＳＴＳ値重畳ＩＳＤＢ−Ｔフレーム同期信号が入力される複数のＩＳＤＢ−Ｔ多重化装置それぞれが、ＩＳＤＢ−Ｔフレーム同期信号に重畳されていたＳＴＳ値をそのまま、又はその値に所定の演算処理を施して得た値を出力することにより、複数のＩＳＤＢ−Ｔ多重化装置それぞれが出力するＳＴＳ値を同じ値に一致させることを、主要な特徴としている。
【００３４】
而して、ＩＳＤＢ−Ｔフレーム同期ＴＳ切替装置により、いずれのＩＳＤＢ−Ｔ多重化装置を現用に切り替えて選択した場合であっても、ＩＳＤＢ−Ｔ多重化装置から放送ＴＳ信号に含んで出力されるＳＴＳ値の連続性を完全に維持し、ＩＳＤＢ−Ｔ伝送におけるＳＦＮ（Single  Frequency  Network）の円滑な運用を行うことを可能にしている。
【００３５】
（実施形態の構成例）
次に、本発明によるＩＳＤＢ−Ｔ放送局システムの構成例について、図１を用いて説明する。図１は、本発明によるＩＳＤＢ−Ｔ放送局システムの実施形態のシステム構成例を示す構成図である。
【００３６】
図１に示すＩＳＤＢ−Ｔ放送局システムは、図５の従来のＩＳＤＢ−Ｔ放送局システムの場合と同様、ＩＳＤＢ−Ｔ多重化装置１系１、ＩＳＤＢ−Ｔ多重化装置２系２、ＩＳＤＢ−Ｔフレーム同期ＴＳ切替装置３、ＩＳＤＢ−Ｔフレーム同期信号発生装置４、および、ＧＰＳレシーバ装置５、を少なくとも含んで構成され、多重化装置として１系と２系とからなる冗長構成とされて、ＩＳＤＢ−Ｔフレーム同期ＴＳ切替装置３によっていずれかのＩＳＤＢ−Ｔ多重化装置を現用に切り替えて使用する構成となっている。
【００３７】
ＧＰＳレシーバ装置５は、図５の従来のＩＳＤＢ−Ｔ放送局システムの場合と同様、ＧＰＳ衛星に同期した１０ＭＨｚクロックＳ１をクロック信号としてＩＳＤＢ−Ｔフレーム同期信号発生装置４、および、ＩＳＤＢ−Ｔ多重化装置１系１、ＩＳＤＢ−Ｔ多重化装置２系２に対してそれぞれ出力し、さらに、図５の従来のＩＳＤＢ−Ｔ放送局システムの場合とは異なり、ＧＰＳ衛星に同期した１ＰＰＳ（１  Pulse  Per  Second）信号Ｓ２を同期用の基準時刻を示す信号としてＩＳＤＢ−Ｔフレーム同期信号発生装置４に対して出力する。
【００３８】
ＩＳＤＢ−Ｔフレーム同期信号発生装置４は、入力された１０ＭＨｚクロック信号Ｓ１および１ＰＰＳ信号Ｓ２に基づいて、ＩＳＤＢ−Ｔフレーム同期信号およびＳＴＳ値を生成して、生成したＳＴＳ値を重畳したＳＴＳ値重畳ＩＳＤＢ−Ｔフレーム同期信号Ｓ３として、ＩＳＤＢ−Ｔ多重化装置１系１およびＩＳＤＢ−Ｔ多重化装置２系２に対してそれぞれ出力する。
【００３９】
ＩＳＤＢ−Ｔ多重化装置１系１は、ＧＰＳレシーバ装置５から入力されてくる１０ＭＨｚクロック信号、ＩＳＤＢ−Ｔフレーム同期信号発生装置４から出力されてくるＳＴＳ値重畳ＩＳＤＢ−Ｔフレーム同期信号Ｓ３に基づいて、１系の放送信号として入力されてくる１系入力ＴＳ信号ＴＳ１に対して、ＩＳＤＢ−Ｔフレーム構成に従って再多重化処理を行い、ＳＴＳ値重畳ＩＳＤＢ−Ｔフレーム同期信号Ｓ３に重畳されたＳＴＳ値を設定したＩＩＰパケットを含む１系放送ＴＳ信号ＴＳ３として、ＩＳＤＢ−Ｔフレーム同期ＴＳ切替装置３に対して出力する。
【００４０】
ＩＳＤＢ−Ｔ多重化装置２系２は、ＩＳＤＢ−Ｔ多重化装置１系１の場合と同様、ＧＰＳレシーバ装置５から入力されてくる１０ＭＨｚクロック信号、ＩＳＤＢ−Ｔフレーム同期信号発生装置４から出力されてくるＳＴＳ値重畳ＩＳＤＢ−Ｔフレーム同期信号Ｓ３に基づいて、２系の放送信号として入力されてくる２系入力ＴＳ信号ＴＳ２に対して、ＩＳＤＢ−Ｔフレーム構成に従って再多重化処理を行い、ＳＴＳ値重畳ＩＳＤＢ−Ｔフレーム同期信号Ｓ３に重畳されたＳＴＳ値を設定したＩＩＰパケットを含む２系放送ＴＳ信号ＴＳ４として、ＩＳＤＢ−Ｔフレーム同期ＴＳ切替装置３に対して出力する。
【００４１】
ＩＳＤＢ−Ｔフレーム同期ＴＳ切替装置３は、ＩＳＤＢ−Ｔ多重化装置１系１から入力されてくる１系放送ＴＳ信号ＴＳ３、および、ＩＳＤＢ−Ｔ多重化装置２系２から入力されてくる２系放送ＴＳ信号ＴＳ４のＩＳＤＢ−Ｔフレーム位相差を調整した上で、いずれか一方を現用として選択して、放送ＴＳ信号ＴＳ５として出力する。
【００４２】
次に、ＩＳＤＢ−Ｔフレーム同期信号発生装置４の詳細な内部構成について図２を用いて説明する。図２は、図１に示すＩＳＤＢ−Ｔフレーム同期信号発生装置４の詳細な内部構成の一例を示すブロック構成図である。図２に示すように、ＩＳＤＢ−Ｔフレーム同期信号発生装置４は、伝送クロック生成部４１、ＩＳＤＢ−Ｔフレームカウンタ４２、ＳＴＳカウンタ４３、および、ＴＳパケット化部４４を少なくとも含んで構成されている。
【００４３】
伝送クロック生成部４１は、図６の従来のＩＳＤＢ−Ｔフレーム同期信号発生装置４Ａの場合と同様、ＧＰＳレシーバ装置５から入力される１０ＭＨｚクロック信号Ｓ１に同期した伝送クロック信号Ｓ４１を生成し、ＩＳＤＢ−Ｔフレームカウンタ４２に対して出力する。ＩＳＤＢ−Ｔフレームカウンタ４２は、図６の従来のＩＳＤＢ−Ｔフレーム同期信号発生装置４Ａの場合と同様、伝送クロック生成部４１から入力される伝送クロック信号Ｓ４１に基づいて動作するカウンタであり、ＩＳＤＢ−Ｔフレームに該当するクロック数をカウントしてＩＳＤＢ−Ｔフレームカウンタ値Ｓ４３を生成し、さらに、図６の従来のＩＳＤＢ−Ｔフレーム同期信号発生装置４Ａの場合とは異なり、ＩＳＤＢ−Ｔフレームの先頭位置を示すＩＳＤＢ−Ｔフレーム先頭信号Ｓ４２も生成して、それぞれ、ＴＳパケット化部４４およびＳＴＳカウンタ４３に対して出力する。
【００４４】
ＳＴＳカウンタ４３は、ＧＰＳレシーバ装置５から、クロック信号として入力される１０ＭＨｚクロック信号Ｓ１、および、基準時刻を示す信号として入力される１ＰＰＳ信号Ｓ２と、ＩＳＤＢ−Ｔフレームカウンタ４２からＩＳＤＢ−Ｔフレームの先頭位置を示す信号として入力されるＩＳＤＢ−Ｔフレーム先頭信号Ｓ４２と、に基づいて、基準時刻を示す１ＰＰＳ信号Ｓ２からのクロック信号位相差を示すＳＴＳ値Ｓ４４を生成して、ＴＳパケット化部４４に対して出力する。
【００４５】
ＴＳパケット化部４４は、ＩＳＤＢ−Ｔフレームカウンタ４２から入力されるＩＳＤＢ−Ｔフレームカウンタ値Ｓ４３、および、ＳＴＳカウンタ４３から入力されるＳＴＳ値Ｓ４４に基づいて、ＳＴＳ値４４を重畳したＳＴＳ値重畳ＩＳＤＢ−Ｔフレーム同期信号Ｓ３を生成して、ＩＳＤＢ−Ｔ多重化装置１系１、ＩＳＤＢ−Ｔ多重化装置２系２に対してそれぞれ出力する。
【００４６】
次に、図１に二重化冗長構成として備えた多重化装置のうち１系側の多重化装置すなわちＩＳＤＢ−Ｔ多重化装置１系１の詳細な内部構成について図３を用いて説明する。図３は、図１に二重化冗長構成として備えた多重化装置のうち１系側の多重化装置すなわちＩＳＤＢ−Ｔ多重化装置１系１の詳細な内部構成の一例を示すブロック構成図であるが、２系側の多重化装置すなわちＩＳＤＢ−Ｔ多重化装置２系２の内部構成についても全く同様の構成からなっていることは言うまでもない。
【００４７】
図３に示すＩＳＤＢ−Ｔ多重化装置１系１は、ＩＳＤＢ−Ｔフレーム同期情報抽出部１１、伝送クロック生成部１２、ＩＳＤＢ−Ｔフレームカウンタ１３、ＩＳＤＢ−Ｔフレーム構造生成部１４、ＳＴＳ値抽出部１５、ＩＩＰパケット生成部１６、ＴＳ多重化部１７を少なくとも含んで構成されている。すなわち、図７の従来のＩＳＤＢ−Ｔ多重化装置１系１Ａの場合のＳＴＳカウンタ１８の代わりに、ＳＴＳ値抽出部１５を用いて構成されている。
【００４８】
図３のＩＳＤＢ−Ｔ多重化装置１系１において、ＩＳＤＢ−Ｔフレーム同期情報抽出部１１は、ＩＳＤＢ−Ｔフレーム同期信号発生装置４から入力されてくるＳＴＳ値重畳ＩＳＤＢ−Ｔフレーム同期信号Ｓ３の中からＩＳＤＢ−Ｔフレーム同期情報Ｓ１１を抽出して、ＩＳＤＢ−Ｔフレームカウンタ１３に対して出力する。
【００４９】
伝送クロック生成部１２は、図７の従来のＩＳＤＢ−Ｔ多重化装置１系１Ａの場合と同様、ＧＰＳレシーバ装置５からの１０ＭＨｚクロック信号Ｓ１に同期した伝送クロック信号Ｓ１２を生成して、ＩＳＤＢ−Ｔフレームカウンタ１３に対して出力する。
【００５０】
ＩＳＤＢ−Ｔフレームカウンタ１３は、図７の従来のＩＳＤＢ−Ｔ多重化装置１系１Ａの場合と同様、ＩＳＤＢ−Ｔフレーム同期情報抽出部１１からのＩＳＤＢ−Ｔフレーム同期情報Ｓ１１、および、伝送クロック生成部１２からの伝送クロック信号Ｓ１２に基づいて、ＩＳＤＢ−Ｔフレームにおけるクロック数をＩＳＤＢ−Ｔフレームカウンタ値Ｓ１３として生成してＩＳＤＢ−Ｔフレーム構造生成部１４に対して出力する。ただし、図７の従来のＩＳＤＢ−Ｔ多重化装置１系１ＡのＩＳＤＢ−Ｔフレームカウンタ１３Ａの場合とは異なり、フレームの先頭を示すＩＳＤＢ−Ｔフレーム先頭信号は生成しない。
【００５１】
ＩＳＤＢ−Ｔフレーム構造生成部１４は、図７の従来のＩＳＤＢ−Ｔ多重化装置１系１Ａの場合と同様、ＩＳＤＢ−Ｔフレームカウンタ１３からのＩＳＤＢ−Ｔフレームカウンタ値Ｓ１３に基づいて、フレーム構成に関する情報を生成して、ＩＳＤＢ−Ｔフレーム構成情報Ｓ１４として、ＴＳ多重化部１７に対して出力する。
【００５２】
ＳＴＳ値抽出部１５は、ＳＴＳ値重畳ＩＳＤＢ−Ｔフレーム同期信号Ｓ３の中からＳＴＳ値Ｓ１６を抽出して、ＩＩＰパケット生成部１６に対して出力する。
【００５３】
ＩＩＰパケット生成部１６は、ＳＴＳ値抽出部１５から入力されたＳＴＳ値Ｓ１６をそのまま書き込んだＩＩＰパケットＳ１７を生成して、ＴＳ多重化部１７に対して出力する。
【００５４】
ＴＳ多重化部１７は、図７の従来のＩＳＤＢ−Ｔ多重化装置１系１Ａの場合と同様、放送用の入力信号として入力されてくる１系入力ＴＳ信号ＴＳ１およびＩＩＰパケット生成部１６からのＩＩＰパケットＳ１７を、ＩＳＤＢ−Ｔフレーム構造生成部１４からのＩＳＤＢ−Ｔフレーム構成情報Ｓ１４に基づいて再多重化して、１系放送ＴＳ信号ＴＳ３として、ＩＳＤＢ−Ｔフレーム同期ＴＳ切替装置３に対して出力する。
【００５５】
なお、図１、図２、図３に説明したＩＳＤＢ−Ｔ放送局システムにおいては、ＳＴＳ値Ｓ４４を生成するＳＴＳカウンタ４３をＩＳＤＢ−Ｔフレーム同期信号発生装置４内に内蔵させて、ＳＴＳカウンタ４３が生成したＳＴＳ値Ｓ４４をＩＳＤＢ−Ｔフレーム同期信号に重畳させて、ＳＴＳ値重畳ＩＳＤＢ−Ｔフレーム同期信号Ｓ３として、ＩＳＤＢ−Ｔ多重化装置１系１、ＩＳＤＢ−Ｔ多重化装置２系２の双方の多重化装置に対して出力する例を説明したが、本発明は、かかる場合のみに限るものではない。
【００５６】
すなわち、ＳＴＳ値Ｓ４４を生成するＳＴＳカウンタ４３が、ＩＳＤＢ−Ｔ多重化装置１系１、ＩＳＤＢ−Ｔ多重化装置２系２等の複数の多重化装置に対して共通に１個のみ当該ＩＳＤＢ−Ｔ放送局システム内に設置されていて、当該ＩＳＤＢ−Ｔ放送局システム内の複数の多重化装置すべてに対して、共通設置された唯一つのＳＴＳカウンタ４３が生成したＳＴＳ値４４を共通的に供給するように構成されていれば、如何なる形態でＳＴＳ値Ｓ４４を生成して複数の多重化装置すべてに対して供給するようにしても構わない。
【００５７】
例えば、図２に示すように、ＳＴＳ値Ｓ４４を生成するＳＴＳカウンタ４３をＩＳＤＢ−Ｔフレーム同期信号発生装置４に内蔵させた場合であっても、ＳＴＳ値重畳ＩＳＤＢ−Ｔフレーム同期信号Ｓ３として出力する代わりに、ＩＳＤＢ−Ｔフレーム同期信号とは、独立に、生成したＳＴＳ値４４を各多重化装置すべてに対してそれぞれ供給するように構成しても良いし、あるいは、ＩＳＤＢ−Ｔフレーム同期信号発生装置４とは別個に、ＳＴＳ値Ｓ４４を生成するＳＴＳ生成部（つまり、伝送クロック生成部とＩＳＤＢ−Ｔフレームカウンタ部とＳＴＳカウンタとからなる装置）を各多重化装置に対して共通に備えるようにして、共通に１個だけ設置したＳＴＳ生成部において生成したＳＴＳ値を、各多重化装置すべてに対してそれぞれ供給するように構成しても良い。
【００５８】
（実施形態の動作の説明）
次に、本発明の一例として図１、図２、図３に例示したＩＳＤＢ−Ｔ放送局システムの動作について、図４のタイムチャートを用いて説明する。図４は、図１に例示したＩＳＤＢ−Ｔ放送局システムにおいて系統切替が発生した際のＳＴＳ値の設定内容を説明するためのタイムチャートであり、図８に示した従来のＩＳＤＢ−Ｔ放送局システムにおけるＳＴＳ値の設定とは異なり、系統切替が発生しても、ＳＴＳ値の連続性を維持することが可能になっていることを示している。
【００５９】
つまり、図１に例示したＩＳＤＢ−Ｔ放送局システムにおいては、図２、図３のブロック構成図において説明したように、ＳＴＳ値を生成するＳＴＳカウンタ４３が、ＩＳＤＢ−Ｔ多重化装置１系１、ＩＳＤＢ−Ｔ多重化装置２系２等の複数の多重化装置それぞれに内蔵されている従来の構成とは異なり、複数の多重化装置に共通なＩＳＤＢ−Ｔフレーム同期信号発生装置４内に１個のみ備えられていて、ＩＳＤＢ−Ｔ多重化装置１系１、ＩＳＤＢ−Ｔ多重化装置２系２等の複数の多重化装置それぞれに対して、同一のＳＴＳ値を供給するように構成されている。
【００６０】
したがって、図１に例示したＩＳＤＢ−Ｔ放送局システムの動作を説明する図４のタイムチャートに示すように、放送ＴＳ信号ＴＳ５として出力されるＴＳ信号が第０フレームから第１フレームへと切り替わる時刻ｔｃにおいてＩＳＤＢ−Ｔ多重化装置１系１からＩＳＤＢ−Ｔ多重化装置２系２に切り替わった場合であっても、図８の従来例とは異なり、第１フレームのＩＩＰパケットに含まれるＳＴＳ値を示すＳＴＳ−１の設定内容は、直前の第０フレームのＩＩＰパケットに含まれていたＳＴＳ値を示すＳＴＳ−０の設定内容と連続していることになる。
【００６１】
まず、図１のＩＳＤＢ−Ｔ放送局システムにおいて、ＳＴＳ値を生成する機能を内蔵したＩＳＤＢ−Ｔフレーム同期信号発生装置４の動作について、前述した図２のブロック構成図を用いてさらに説明する。
【００６２】
ＩＳＤＢ−Ｔフレームカウンタ４２は、前述したように、伝送クロック生成部４１が出力する伝送クロック信号Ｓ４１に同期して、ＩＳＤＢ−Ｔフレーム周期で一周するカウンタであり、当該ＩＳＤＢ−Ｔフレームカウンタ４２がカウントしたカウンタ値に基づいて、ＩＳＤＢ−Ｔフレーム先頭信号Ｓ４２が生成され、生成されたＩＳＤＢ−Ｔフレーム先頭信号Ｓ４２が、図４のタイムチャートのＳＴＳ値重畳ＩＳＤＢ−Ｔフレーム同期信号Ｓ３出力に示している「フレーム位相基準」（フレームの先頭位置を示す基準時刻ｔｓ）として出力される。
【００６３】
また、ＳＴＳカウンタ４３は、前述したように、ＧＰＳレシーバ装置５からの１ＰＰＳ信号Ｓ２によって決まる１ＰＰＳ信号立ち上がり時刻ｔ０と、ＩＳＤＢ−Ｔフレームカウンタ４２からのＩＳＤＢ−Ｔフレーム先頭信号Ｓ４２によって決まるフレーム位相基準ｔｓと、の時間差を、１０ＭＨｚクロック信号Ｓ１に基づいてカウントすることによって、図４のタイムチャートのＳＴＳ値重畳ＩＳＤＢ−Ｔフレーム同期信号Ｓ３出力に、例えば第１フレーム用のＩＩＳパケット設定用の「ＳＴＳ−１」として示すような、ＳＴＳ値Ｓ４４を生成する。
【００６４】
さらに、ＴＳパケット化部４４は、ＩＳＤＢ−Ｔフレームカウンタ４２によって生成されたＩＳＤＢ−Ｔフレームカウンタ値Ｓ４３とＳＴＳカウンタ４３によって生成されたＳＴＳ値Ｓ４４とを、所定のフォーマットに基づいて、ＩＳＤＢ−Ｔフレーム同期信号にＳＴＳ値を重畳させたＴＳパケット形式に変換して、図４のタイムチャートのＳＴＳ値重畳ＩＳＤＢ−Ｔフレーム同期信号Ｓ３出力に示すように、ＳＴＳ値重畳ＩＳＤＢ−Ｔフレーム同期信号Ｓ３として出力する。
【００６５】
ＩＳＤＢ−Ｔフレーム同期信号発生装置４は、ＴＳパケット化部４４から出力されるＳＴＳ値重畳ＩＳＤＢ−Ｔフレーム同期信号Ｓ３を、ＩＳＤＢ−Ｔ多重化装置１系１、ＩＳＤＢ−Ｔ多重化装置２系２等の複数の多重化装置すべてに対して共通的に供給する。
【００６６】
次に、図４のタイムチャートの第０フレームから第１フレームへの出力へと切り替わる時刻ｔｃにおいて、複数の多重化装置のうち、現用から予備側に切り替えられる対象となる１系のＩＳＤＢ−Ｔ多重化装置１系１の動作について、前述した図３のブロック構成図を用いてさらに説明する。
【００６７】
ＩＳＤＢ−Ｔフレーム同期情報抽出部１１は、前述したように、ＩＳＤＢ−Ｔフレーム同期信号発生装置４が出力するＳＴＳ値重畳ＩＳＤＢ−Ｔフレーム同期信号Ｓ３の中から、ＩＳＤＢ−Ｔフレームを示すＩＳＤＢ−Ｔフレーム同期情報Ｓ１１を抽出して、ＩＳＤＢ−Ｔフレームカウンタ１３に対して出力する。
【００６８】
また、ＩＳＤＢ−Ｔフレームカウンタ１３は、前述したように、ＩＳＤＢ−Ｔフレーム同期情報抽出部１１が出力するＩＳＤＢ−Ｔフレーム同期情報Ｓ１１に同期して、伝送クロック生成部１２が出力する伝送クロック信号Ｓ１２に基づいて、ＩＳＤＢ−Ｔフレーム周期で一周するカウンタであり、これにより、ＩＳＤＢ−Ｔ多重化装置１系１とＩＳＤＢ−Ｔフレーム同期信号発生装置４との双方のＩＳＤＢ−Ｔフレーム位相が同期することになる。また、当該ＩＳＤＢ−Ｔフレームカウンタ４２がカウントしたＩＳＤＢ−Ｔフレームカウンタ値Ｓ１３に基づいて、ＩＳＤＢ−Ｔフレーム構造生成部１４において、ＩＳＤＢ−Ｔフレーム構成情報Ｓ１４が生成される。
【００６９】
また、ＳＴＳ抽出部１５は、前述したように、ＩＳＤＢ−Ｔフレーム同期信号発生装置４が出力するＳＴＳ値重畳ＩＳＤＢ−Ｔフレーム同期信号Ｓ３の中から、ＳＴＳ値Ｓ１６を抽出して、ＩＩＰパケット生成部１６に対して出力する。ＩＩＰパケット生成部１６においては、ＳＴＳ値抽出部１５が抽出したＳＴＳ値Ｓ１６をそのまま書き込んだＩＩＰパケットＳ１７を生成して、ＴＳ多重化部１７に対して出力する。つまり、ＩＳＤＢ−Ｔフレームに多重化されるＩＩＰパケットには、ＩＳＤＢ−Ｔ放送局システム内に各多重化装置に対して共通に１個のみ設置されているＩＳＤＢ−Ｔフレーム同期信号発生装置４において、生成されたＳＴＳ値４４（＝ＳＴＳ値１６）が設定されることになる。
【００７０】
また、ＴＳ多重化部１７は、前述したように、放送用の入力信号として入力されてくる１系入力ＴＳ信号ＴＳ１と、ＩＩＰパケット生成部１６が出力したＩＩＰパケットＳ１７とを、ＩＳＤＢ−Ｔフレーム構造生成部１４からのＩＳＤＢ−Ｔフレーム構成情報Ｓ１４に基づいて、１系放送ＴＳ信号ＴＳ３として再多重化して出力する。その結果、図４のタイムチャートのＩＳＤＢ−Ｔ多重化装置１系１の１系放送ＴＳ信号ＴＳ３出力に示すように、第０フレーム「frame１−０」、第１フレーム「frame１−１」、…には、ＳＴＳ値重畳ＩＳＤＢ−Ｔフレーム同期信号Ｓ３から抽出されたＳＴＳ値Ｓ１６がそのまま「ＳＴＳ−０」、「ＳＴＳ−１」、…としてＩＩＰパケットに含まれている１系の放送用ＴＳ信号が出力されることになる。
【００７１】
なお、図４のタイムチャートに示すように、１系放送ＴＳ信号ＴＳ３は、第０フレーム「frame１−０」、第１フレーム「frame１−１」、…の各フレームの先頭位置が、クロック速度変換処理や素子のばらつき等の要因から、ＩＳＤＢ−Ｔフレーム同期信号発生装置４がフレーム位相基準として出力したＩＳＤＢ−Ｔフレーム同期信号Ｓ３の時刻ｔｓよりも遅れた例えば時刻ｔｓ１になっている。
【００７２】
一方、図４のタイムチャートの第０フレームから第１フレームへの出力へと切り替わる時刻ｔｃにおいて予備側から現用に切り替わる対象となる２系のＩＳＤＢ−Ｔ多重化装置２系２の動作についても、前述した１系のＩＳＤＢ−Ｔ多重化装置１系１の場合と全く同様である。したがって、２系のＩＳＤＢ−Ｔ多重化装置２系２においては、図４のタイムチャートのＩＳＤＢ−Ｔ多重化装置２系２の２系放送ＴＳ信号ＴＳ４出力に示すように、第０フレーム「frame２−０」、第１フレーム「frame２−１」、…について、１系放送ＴＳ信号ＴＳ３出力の場合と同様、ＳＴＳ値重畳ＩＳＤＢ−Ｔフレーム同期信号Ｓ３から抽出されたＳＴＳ値Ｓ１６がそのまま「ＳＴＳ−０」、「ＳＴＳ−１」、…としてＩＩＰパケットに含まれている２系の放送用ＴＳ信号が出力されることになる。
【００７３】
ただし、図４のタイムチャートに示すように、２系放送ＴＳ信号ＴＳ４は、第０フレーム「frame２−０」、第１フレーム「frame２−１」、…の各フレームの先頭位置が、クロック速度変換処理や素子のばらつき等の要因から、ＩＳＤＢ−Ｔフレーム同期信号発生装置４がフレーム位相基準として出力したＩＳＤＢ−Ｔフレーム同期信号Ｓ３の時刻ｔｓや１系放送ＴＳ信号ＴＳ３の各フレームの先頭位置の時刻ｔｓ１よりもさらに遅れた例えば時刻ｔｓ２になっている。つまり、図４のタイムチャートに示すように、１系放送ＴＳ信号ＴＳ３と２系放送ＴＳ信号ＴＳ４との間には、クロック速度変換処理や素子のばらつき等の要因から、フレーム位相差（ｔｓ２−ｔｓ１）が発生している。
【００７４】
しかしながら、図４のタイムチャートにおいては、図８の従来例とは異なり、ＩＩＰパケットに設定されるＳＴＳ値は、ＩＳＤＢ−Ｔ多重化装置１系１、ＩＳＤＢ−Ｔ多重化装置２系２等の複数の多重化装置のいずれについても、「ＳＴＳ−０」、「ＳＴＳ−１」、…と、ＩＳＤＢ−Ｔフレーム同期信号発生装置４が生成した共通のＳＴＳ値をそのまま用いることになるので、切替発生時において、いずれの多重化装置に切り替わっても、ＩＩＰパケットに設定されるＳＴＳ値の連続性を維持することが可能であり、ＩＳＤＢ−Ｔ伝送におけるＳＦＮ（Single  Frequency  Network）の円滑な運用を行うことが可能である。
【００７５】
なお、図４のタイムチャートの１系側入力位相調整後ＴＳ信号および２系側入力位相調整後ＴＳ信号に示すように、１系放送ＴＳ信号ＴＳ３と２系放送ＴＳ信号ＴＳ４とのフレーム位相差（ｔｓ２−ｔｓ１）を吸収するために、ＩＳＤＢ−Ｔフレーム同期ＴＳ切替装置３において、ＩＳＤＢ−Ｔ多重化装置１系１とＩＳＤＢ−Ｔ多重化装置２系２とを切り替えるタイミングとしてあらかじめ設定されている時刻ｔｃに１系放送ＴＳ信号ＴＳ３および２系放送ＴＳ信号ＴＳ４のフレームの開始位置を揃えるように調整している。しかる後に、ＩＳＤＢ−Ｔフレーム同期ＴＳ切替装置３は、図４のタイムチャートの系統選択に示すように、複数の多重化装置の切り替えタイミングである時刻ｔｃにおいて、今までの１系選択から２系選択に切り替える。その結果、図４のタイムチャートの放送ＴＳ信号ＴＳ５出力に示すように、フレーム位相調整後の１系の第０フレーム「frame１−０」から２系の第１フレーム「frame２−１」へと切り替えて出力することになる。
【００７６】
（実施形態の効果の説明）
以上に詳細に説明したように、本実施形態においては、次のような効果が得られる。
【００７７】
すなわち、本実施形態のＩＳＤＢ−Ｔ放送局システムにおいては、ＳＴＳ値を生成するＳＴＳ生成部が、ＩＳＤＢ−Ｔ多重化装置１系１、ＩＳＤＢ−Ｔ多重化装置２系２等の複数の多重化装置に対して共通になる共通部例えばＩＳＤＢ−Ｔフレーム同期信号発生装置４に唯一つ配置されていて、生成したＳＴＳ値を、すべての例えば２台のＩＳＤＢ−Ｔ多重化装置１系１、ＩＳＤＢ−Ｔ多重化装置２系２それぞれに対して供給するようにしているので、すべての例えば２台のＩＳＤＢ−Ｔ多重化装置１系１、ＩＳＤＢ−Ｔ多重化装置２系２それぞれが出力するＩＩＰパケット中のＳＴＳ値を完全に一致させることが可能である。而して、ＩＳＤＢ−Ｔフレーム同期ＴＳ切替装置３によって、ＩＳＤＢ−Ｔ多重化装置１系１、ＩＳＤＢ−Ｔ多重化装置２系２のいずれを現用にするような系統切り替えを行った場合であっても、系統切り替えを行った前後において、放送ＴＳ信号ＴＳ５として出力されるＳＴＳ値の連続性が乱れることがなく、ＩＳＤＢ−Ｔ伝送におけるＳＦＮ（Single  Frequency  Network）の円滑な運用を行うことができる。
【００７８】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、以上に説明した実施の形態では、各ＩＳＤＢ−Ｔ多重化装置（１，２）は、供給されたＳＴＳ値をそのまま放送ＴＳ信号に設定して出力するとしたが、供給されたＳＴＳ値そのままではなく、供給されたＳＴＳ値に対して、あらかじめ決めておいた固定オフセット値を加減算したものを各多重化装置でＩＩＰパケットに設定して出力するようにしても、複数の多重化装置がそれぞれ出力するＳＴＳ値を一致させることができるし、或いは供給されたＳＴＳ値に対して各多重化装置で所定の演算（前記固定オフセット値の加減算はこの演算の一例である。）を施し、この演算により得た値をＳＴＳ値として前記放送ＴＳ信号に設定して出力するようにしても、複数の多重化装置が出力するＳＴＳ値を一致させることができるので、本発明は実現できる。
【符号の説明】
【００７９】
１          ＩＳＤＢ−Ｔ多重化装置１系
１Ａ        ＩＳＤＢ−Ｔ多重化装置１系
２          ＩＳＤＢ−Ｔ多重化装置２系
２Ａ        ＩＳＤＢ−Ｔ多重化装置２系
３          ＩＳＤＢ−Ｔフレーム同期ＴＳ切替装置
４          ＩＳＤＢ−Ｔフレーム同期信号発生装置
４Ａ        ＩＳＤＢ−Ｔフレーム同期信号発生装置
５          ＧＰＳレシーバ装置
１１        ＩＳＤＢ−Ｔフレーム同期情報抽出部
１２        伝送クロック生成部
１３        ＩＳＤＢ−Ｔフレームカウンタ
１３Ａ      ＩＳＤＢ−Ｔフレームカウンタ
１４        ＩＳＤＢ−Ｔフレーム構造生成部
１５        ＳＴＳ値抽出部
１６        ＩＩＰパケット生成部
１７        ＴＳ多重化部
１８        ＳＴＳカウンタ
４１        伝送クロック生成部
４２        ＩＳＤＢ−Ｔフレームカウンタ
４３        ＳＴＳカウンタ
４４        ＴＳパケット化部
４４Ａ      ＴＳパケット化部
Ｓ１        １０ＭＨｚクロック信号
Ｓ２        １ＰＰＳ（１  Pulse  Per  Second）信号
Ｓ３        ＳＴＳ値重畳ＩＳＤＢ−Ｔフレーム同期信号
Ｓ３Ａ      ＩＳＤＢ−Ｔフレーム同期信号
Ｓ１１      ＩＳＤＢ−Ｔフレーム同期情報
Ｓ１２      伝送クロック信号
Ｓ１３      ＩＳＤＢ−Ｔフレームカウンタ値
Ｓ１４      ＩＳＤＢ−Ｔフレーム構成情報
Ｓ１５      ＩＳＤＢ−Ｔフレーム先頭信号
Ｓ１６      ＳＴＳ（Synchronization  Time  Stamp）値
Ｓ１７      ＩＩＰ（ＩＳＤＢ−Ｔ  Information  Packet）パケット
Ｓ４１      伝送クロック信号
Ｓ４２      ＩＳＤＢ−Ｔフレーム先頭信号
Ｓ４３      ＩＳＤＢ−Ｔフレームカウンタ値
Ｓ４４      ＳＴＳ値
ＴＳ１      １系入力ＴＳ信号
ＴＳ２      ２系入力ＴＳ信号
ＴＳ３      １系放送ＴＳ信号
ＴＳ４      ２系放送ＴＳ信号
ＴＳ５      放送ＴＳ信号
【図１】
0005949045.tif 000002
【図２】
0005949045.tif 000003
【図３】
0005949045.tif 000004
【図４】
0005949045.tif 000005
【図５】
0005949045.tif 000006
【図６】
0005949045.tif 000007
【図７】
0005949045.tif 000008
【図８】
0005949045.tif 000009